(57)【特許請求の範囲】
【請求項１】
燃焼手段により加熱調理を行うグリル庫を備え、前記グリル庫の後部に設けた燃焼排気の出口付近に、燃焼排気の温度を検出する温度検出手段が設けられる一方、前記グリル庫内に、焼き網と、前記グリル庫内で調理容器を載置するための載置台とをそれぞれ選択的に支持可能な受け部が前後に設けられたグリル付コンロであって、
前記載置台の後部には、前記受け部に係止可能な係止板が設けられると共に、前記係止板には、前記受け部に係止した状態で前記温度検出手段の前方に位置し、前記グリル庫内で発生した燃焼排気が前記温度検出手段へ直接流れることを防止する迂回部材が設けられている一方、
前記燃焼手段は、前記受け部に前記載置台を介して支持された前記調理容器の下側空間を加熱するガスバーナを含むと共に、前記ガスバーナには、立ち消え検出用の熱電対が設置され、
前記係止板には、前記受け部に係止した状態で前記熱電対の後方且つ上側に張り出すカバー部が形成されていることを特徴とするグリル付きコンロ。
【請求項２】
前記迂回部材は、前記載置台の後部から下向きに折曲形成される縦板部を含むことを特徴とする請求項１に記載のグリル付コンロ。
【請求項３】
前記縦板部の下端には、後方へ突出して前記グリル庫の後部内面に近接する横板部が折曲形成されていることを特徴とする請求項２に記載のグリル付コンロ。
【請求項４】
前記ガスバーナは、複数の炎口が前後方向へ並べて配列されるものであり、前記載置台は、その前後方向の寸法が前記炎口の配列範囲よりも長く形成されると共に、前記受け部に支持された状態で、前記調理容器が載置される中間部位が前記炎口の配列範囲に対向していることを特徴とする請求項２又は３に記載のグリル付コンロ。
【請求項５】
前記載置台は、前記調理容器の周面に沿って設けられ、前記調理容器の前後左右での位置決めを行う周面支持部と、前記調理容器の下面に沿って設けられて前記調理容器を下方から支持する下面支持部とを備え、前記周面支持部は、前記炎口の配列範囲との対向部分に切欠きを有することを特徴とする請求項４に記載のグリル付コンロ。
【発明の詳細な説明】
【技術分野】
【０００１】
本発明は、グリルを備えたテーブルコンロやビルトインコンロ等のグリル付コンロに関する。
【背景技術】
【０００２】
従来、グリル付コンロにおけるグリルは、主に魚の加熱調理に用いられていたが、近年ではグリルの多用途化が進められており、トーストやピザ等の魚以外の加熱調理にも用いられるようになっている。
しかし、魚の加熱調理は、グリルに設けた焼き網上に魚を載置してグリルバーナで直接加熱することで行われるため、魚から発生する油や水分等がグリル庫の内面に付着して生臭さや魚臭さとして残る場合が多く、トースト等の他の加熱調理として使用したいユーザには少なからず心理的抵抗があった。
【０００３】
そこで、特許文献１に開示されるように、被調理物を収容する蓋付きの調理容器を用いて、この調理容器をグリル庫内にセットしてグリルバーナにより加熱するグリルが提案されている。このグリルによれば、魚等の被調理物から生じる油や水分を調理容器内に封じ込めてグリル庫内へ付着するのを防止することができ、トースト等の被調理物も抵抗なく加熱調理できるようになる。
【先行技術文献】
【特許文献】
【０００４】
【特許文献１】特開２０１６−７４２６号公報
【発明の概要】
【発明が解決しようとする課題】
【０００５】
ところで、特許文献１に開示されるグリルでは、調理容器を底面から加熱するためのバーナや、調理容器のセットを検知する検知機構、温度センサを調理容器の底面に接触させる機構等、調理容器の使用に伴う専用の機構を導入して高価なものとなるため、既存のグリルにおいて当該調理容器を使用できるようにするのが望ましい。よって、例えば、焼き網を支持する焼き網台を利用して焼き網の受け部に調理容器用の載置台を支持させ、この載置台に調理容器を載置させることで、グリルバーナで加熱する方策が考えられる。
しかし、調理容器を用いて加熱すると、蒸気等が調理容器内に封じ込められるため、魚等を直接加熱調理する場合よりも高温の燃焼排気が発生しやすい。このため、グリル庫の排気出口に設けられる過熱防止用の温度センサの検出温度が早い段階で上昇し、加熱調理の途中で強制的にグリルバーナの燃焼が停止されて使い勝手を損なう問題が生じる。
【０００６】
そこで、本発明は、既存のグリル内で調理容器を用いる場合でも、加熱調理の途中で燃焼が停止されることがなく、使い勝手のよいグリル付コンロを提供することを目的としたものである。
【課題を解決するための手段】
【０００７】
上記目的を達成するために、請求項１に記載の発明は、燃焼手段により加熱調理を行うグリル庫を備え、グリル庫の後部に設けた燃焼排気の出口付近に、燃焼排気の温度を検出する温度検出手段が設けられる一方、グリル庫内に、焼き網と、グリル庫内で調理容器を載置するための載置台とをそれぞれ選択的に支持可能な受け部が前後に設けられたグリル付コンロであって、
載置台の後部には、受け部に係止可能な係止板が設けられると共に、係止板には、受け部に係止した状態で温度検出手段の前方に位置し、グリル庫内で発生した燃焼排気が温度検出手段へ直接流れることを防止する迂回部材が設けられている一方、
燃焼手段は、受け部に載置台を介して支持された調理容器の下側空間を加熱するガスバーナを含むと共に、ガスバーナには、立ち消え検出用の熱電対が設置され、
係止板には、受け部に係止した状態で熱電対の後方且つ上側に張り出すカバー部が形成されていることを特徴とする。
請求項２に記載の発明は、請求項１の構成において、迂回部材は、載置台の後部から下向きに折曲形成される縦板部を含むことを特徴とする。
請求項３に記載の発明は、請求項２の構成において、縦板部の下端には、後方へ突出してグリル庫の後部内面に近接する横板部が折曲形成されていることを特徴とする。
請求項４に記載の発明は、請求項２又は３の構成において、ガスバーナは、複数の炎口が前後方向へ並べて配列されるものであり、載置台は、その前後方向の寸法が炎口の配列範囲よりも長く形成されると共に、受け部に支持された状態で、調理容器が載置される中間部位が炎口の配列範囲に対向していることを特徴とする。
請求項５に記載の発明は、請求項４の構成において、載置台は、調理容器の周面に沿って設けられ、調理容器の前後左右での位置決めを行う周面支持部と、調理容器の下面に沿って設けられて調理容器を下方から支持する下面支持部とを備え、周面支持部は、炎口の配列範囲との対向部分に切欠きを有することを特徴とする。
【発明の効果】
【０００８】
請求項１に記載の発明によれば、調理容器の載置台に、グリル庫内で発生した燃焼排気が温度検出手段へ直接流れることを防止する迂回部材を設けたことで、温度検出手段の短時間での検出温度の上昇が抑えられる。よって、既存のグリルで調理容器を用いる場合でも、加熱調理の途中で燃焼が停止されることがなく、使い勝手を損なわない。
また、載置台の後部に設けた係止板には、受け部に係止した状態で熱電対の後方且つ上側に張り出すカバー部が形成されているので、後方へ流れる燃焼排気がカバー部に当接して流れが阻害され、一旦係止板の下方で滞留してから出口へ流れることになる。よって、熱電対がここで滞留する燃焼排気によって確実に加熱され、立ち消えの検出が精度よく行える。
請求項２に記載の発明によれば、請求項１の効果に加えて、迂回部材を、載置台の後部から下向きに折曲形成される縦板部を含むものとしているので、調理容器の下側空間を加熱するガスバーナから生じる燃焼排気の流れを左右方向に導くことができ、温度検出手段へのダイレクトな流れをより効果的に阻止することができる。
請求項３に記載の発明によれば、請求項２の効果に加えて、縦板部の下端には、後方へ突出してグリル庫の後部内面に近接する横板部が折曲形成されているので、燃焼排気が縦板部の下方へ回り込むことを効果的に防止でき、燃焼排気を縦板部の左右へ確実に誘導することができる。
請求項４に記載の発明によれば、請求項２又は３の効果に加えて、載置台を、その前後方向の寸法が炎口の配列範囲よりも長くなるように形成して、受け部に支持された状態で、調理容器が載置される中間部位が炎口の配列範囲に対向するようにしているので、調理容器を調理に適した最適位置で支持することができる。
請求項５に記載の発明によれば、請求項４の効果に加えて、載置台を形成する周面支持部における炎口の配列範囲との対向部分に切欠きを設けたことで、ガスバーナからの炎が周面支持部によって冷却されることがなく直接的に調理容器を加熱できる。よって、載置台を用いても効率的な調理が可能となる。
【図面の簡単な説明】
【０００９】
【図１】ビルトインコンロのグリル部分の縦断面図である。
【図２】上ケーシングを省略したグリル庫の平面図である。
【図３】グリル庫内での調理容器の支持構造を示す分解斜視図である。
【図４】グリル庫内での調理容器の支持状態を示す斜視図である。
【発明を実施するための形態】
【００１０】
以下、本発明の実施の形態を図面に基づいて説明する。
図１は、グリル付コンロの一例であるグリル付のビルトインコンロ１におけるグリル部分の縦断面図、図２は、上ケーシング８を省略したグリル庫の平面図である。このビルトインコンロ１は、天板３を有する器体２の上部にコンロ部４，４を備え、コンロ部４，４の間で器体２内の中央にグリル５を備えている。器体２の前側（図１，２の左側を前方とする。）に設けた図示しない正面パネルには、各コンロ部４及びグリル５に対応した点消火ボタンや、火力調整や調理メニュー等を選択操作するための操作部（何れも図示略）が設けられている。
【００１１】
グリル５は、前側のグリル庫６と、グリル庫６の後部に連結される排気ダクト７とからなり、上下から組み付けられる上ケーシング８及び下ケーシング９によって器体２内で区画形成される。上ケーシング８は、グリル庫６の上板と左右の上側板及び排気ダクト７の上板と左右の側板とを備える正面視下向きコ字状を有し、上板の下側には、燃焼面を下向きにした燃焼手段としての上バーナ１０が設けられる。下ケーシング９は、グリル庫６の下板と左右の下側板と、下板の後端から立ち上がってグリル庫６の後部下側を閉塞した後、後方へ延びて排気ダクト７の底部となる後板１１とを備える正面視上向きコ字状を有し、左右の下側板には、前後方向へ延びてグリル庫６の中央側へ向けた炎口１３，１３・・を等間隔で並設した燃焼手段としての下バーナ１２がそれぞれ備えられている。１４，１４は、左右の下バーナ１２の後部内側でそれぞれ感熱部を前方に向けて設置された熱電対である。
【００１２】
排気ダクト７は、上下ケーシング８，９に後方から組み付けられる背板１５によって形成されて斜め後方へ延びる横長の四角筒状で、排気ダクト７の上端は、器体２の天板３に形成される排気口１６と接続されている。
また、グリル庫６からの出口を形成する後板１１の左右方向の中央部には、前下がりの傾斜面１７が形成されており、その傾斜面１７に、下ケーシング９を下側から貫通して感熱部１９を傾斜面１７上に突出させた温度検出手段としての温度センサ１８（ここではサーミスタ）が設けられている。２０は、傾斜面１７に設けられて温度センサ１８を上方から保護すると共に、前後を開口させて燃焼排気の通過を許容するセンサカバーである。
【００１３】
一方、グリル庫６の底部には、前方から出し入れ可能に収納される支持枠２１が設けられ、支持枠２１上に、焼き網台２２と汁受け皿２３とがそれぞれ設けられて、支持枠２１の出し入れに伴ってグリル庫６から同時に出し入れ可能となっている。
まず、支持枠２１は、図３にも示すように、平面視矩形状に折り曲げ形成される金属製の枠体２４と、その枠体２４内で長手方向の前後両端に固着される前支持板２５及び後支持板２６とからなり、前支持板２５には、グリル扉２７が装着される。この支持枠２１は、下ケーシング９の底部左右に設けられたレール状の支持枠受け２８，２８（図１）によって前後方向へスライド可能にガイドされている。
【００１４】
焼き網台２２は、金属製の棒材を連続状に折り曲げ形成してなる枠状で、長手方向の前後両端が支持枠２１の前支持板２５及び後支持板２６にそれぞれ載置され、長手方向の前後両端には、中央が突出する凸字状の受け部２９，２９がそれぞれ上向きに折曲形成されている。
汁受け皿２３は、長手方向の寸法が焼き網台２２の受け部２９，２９の間隔よりも小さい平面視矩形状で、中央には、外形よりも一回り小さい平面視矩形状の凹部３０が形成されて、その凹部３０の周縁部には、外方向に広がるフランジ部３１が形成されている。この汁受け皿２３は、凹部３０が焼き網台２２内に嵌合してフランジ部３１が係止することで、焼き網台２２に載せた状態で支持される。
【００１５】
そして、焼き網台２２には、金属製の棒材によって平面視矩形状に形成される焼き網が、長手方向の前後両端を受け部２９，２９の左右の肩部にそれぞれ係止させることで載置可能となっているが、ここでは焼き網に代えて、調理容器５０をグリル庫６内で支持するための載置台３２が設けられている。
載置台３２は、金属製の棒材を平面視矩形状に形成してなり、長手方向の前後両端を上向きに折曲して起立部３４，３４を形成した下面支持部としての下面支持枠３３と、その下面支持枠３３の起立部３４，３４にそれぞれ連結される板状の前係止板３５及び後係止板３６と、両係止板３５，３６の上面にそれぞれ連結され、金属製の棒材からなる周面支持部としての周面支持枠３７とを有している。
【００１６】
下面支持枠３３は、左右方向の寸法が、後述する調理容器５０の幅寸法よりも小さい間隔で形成されて、調理容器５０が載置可能となっている。前係止板３５の前端と後係止板３６の後端とには、一対の突部３８，３８がそれぞれ形成されて、突部３８，３８を焼き網台２２の受け部２９の両肩部に係止させることで、焼き網と同様に前後の受け部２９，２９の間に架け渡す格好で載置できる。
また、後係止板３６の後縁において、両突部３８，３８の間には、下向きに折曲される縦板部４０と、縦板部４０の下端から後向きに折曲される横板部４１とからなる横断面Ｌ字状の迂回部材３９が、一体に形成されている。さらに、後係止板３６の後部左右には、それぞれ外側へ張り出すカバー部４２，４２が形成されている。
【００１７】
周面支持枠３７は、調理容器５０の周面に沿って形成されるが、ここでは左右両側に切欠き４３，４３が形成されて、前枠部分４４と後枠部分４５とに分断された形状となっている。両枠部分４４，４５の左右両端は、調理容器５０の端部形状に合わせてカーブしているため、下面支持枠３３の上に調理容器５０を載置した状態では、両枠部分４４，４５が調理容器５０の前後に嵌合して調理容器５０を前後左右で位置決め可能となっている。
【００１８】
そして、調理容器５０は、上面を開口させた箱状の容器本体５１と、その容器本体５１の開口を閉塞する蓋体５２とからなる。容器本体５１は、四隅をＲ形状として底面を波形形状とした平面視矩形状で、長手方向の両辺には、耳部５３，５３が突設されている。耳部５３には前後に長い透孔５４がそれぞれ形成されている。この耳部５３及び透孔５４に図示しないハンドルを係止させることで、調理容器５０の出し入れが可能となる。
蓋体５２は、容器本体５１と平面視が同形状で容器本体５１よりも一回り小さくして下面を開口させた浅箱状となって、上面には蒸気の排出孔５５が形成されている。容器本体５１と蓋体５２とは何れも鉄製である。
【００１９】
以上の如く構成されたビルトインコンロ１においては、グリル庫６から引き出した支持枠２１上に、まず焼き網台２２を、前後支持板２５，２６に設けた図示しない位置決め凹部に合わせて載置した後、その上方に汁受け皿２３を、受け部２９，２９の間で凹部３０が焼き網台２２に嵌合するように載置する。すると、汁受け皿３０は、図３に示すように、前後左右に移動規制された状態で支持枠２１上にセットされる。
次に、載置台３２を、前後係止板３５，３６の突部３８，３８をそれぞれ受け部２９，２９の肩部に係止させれば、載置台３２が受け部２９，２９によって前後方向へ水平に支持される。
【００２０】
そして、載置台３２の下面支持枠３３上で周面支持枠３７の間に、被調理物を収容した調理容器５０を載置すれば、図４に示すように、調理容器５０が載置台３２及び焼き網台２２を介して支持枠２１の上方で水平に支持される。
こうして調理容器５０をセットした支持枠２１をグリル庫６内に収容すれば、図１，２に示すように、調理容器５０は上下バーナ１０，１２の間に位置する高さで支持されることになる。この状態で後係止板３６の迂回部材３９は、縦板部４０が正面視で排気ダクト７の傾斜面１７の前側に位置して温度センサ１８の前方を横切り、横板部４１が傾斜面１７の前端と略一致する高さで当該前端に近接する。また、左右のカバー部４２，４２は、下バーナ１２，１２に設けた熱電対１４，１４のやや後方で上側に張り出す位置となる。
【００２１】
このとき、載置台３２は、下バーナ１２の炎口１３，１３・・の配列範囲（図１に示すＷ）よりも前後に長く伸びており、調理容器５０が載置される中央部位となる下面支持枠３３のみが配列範囲Ｗに対向している。
また、周面支持枠３７は、配列範囲Ｗの前後に前枠部分４４と後枠部分４５とが分かれた格好となって、切欠き４３，４３を配列範囲Ｗに対向させている。よって、調理容器５０の容器本体５１の左右の側面は、間に何も介在することなく炎口１３の配列範囲Ｗに対向することになる。
【００２２】
ここで、正面パネルに設けたグリル用の点消火ボタンを押し操作すると、上下バーナ１０，１２へのガス流路が開放されて燃料ガスが供給されると共に、図示しないコントローラが点火電極を作動させて上下バーナ１０，１２を燃焼させる。よって、調理容器５０は、上下バーナ１０，１２の炎により上下から加熱され、内部に収容した被調理物が加熱調理される。
そして、上下バーナ１０，１２から発生した燃焼排気は、グリル庫６の後部へ移動して排気ダクト７を通って排気口１６から排出される。このときコントローラは、排気ダクト７に設けた温度センサ１８から得られる検出温度を監視して、所定の温度に達したら上下バーナ１０，１２の燃焼を停止させる過熱防止機能を実行可能となっている。
【００２３】
この場合、下バーナ１２からの燃焼排気は、図１に点線矢印で示すように、載置台３２の後係止板３６の下方から排気ダクト７へ進入しようとする。しかし、後係止板３６の後端には迂回部材３９が形成されているため、燃焼排気は図２に点線矢印で示すように、迂回部材３９の縦板部４０に当接して左右に分かれ、迂回部材３９を回り込む格好で左右から排気ダクト７へ進入する。よって、燃焼排気が傾斜面１７上の温度センサ１８の感熱部１９に向かってダイレクトに流れることがなく、温度センサ１８の検出温度の短時間での上昇は抑えられるため、調理途中で上下バーナ１０，１２の燃焼が停止されるおそれがなくなる。
【００２４】
特に、迂回部材３９には横板部４１も設けられているため、燃焼排気が縦板部４０の下方を回り込みにくくなり、温度センサ１８へのダイレクトな流れがより効果的に規制される。また、調理容器５０の後方を閉塞する格好で後係止板３６が設けられてその後端に迂回部材３９が設けられているので、下バーナ１２からの燃焼排気の上昇が後係止板３６によって妨げられて迂回部材３９へ当接しやすくなっている。よって、迂回部材３９による燃焼排気の誘導作用は効果的に発揮される。
【００２５】
一方、コントローラは、下バーナ１２からの燃焼排気によって加熱される熱電対１４，１４の熱起電力を監視して立ち消えの検出を行っているが、ここでは後方へ流れる燃焼排気は、熱電対１４を通過した後、排気ダクト７へ進入する前に、載置台３２の後係止板３６に設けたカバー部４２に当接して流れが阻害され、一旦後係止板３６の下方で滞留してから排気ダクト７へ流れることになる。よって、熱電対１４がここで滞留する燃焼排気によって確実に加熱され、立ち消えの検出が精度よく行える。
【００２６】
このように、上記形態のビルトインコンロ１によれば、載置台３２の後部に、受け部２９，２９に支持された状態で温度センサ１８の前方に位置し、グリル庫６内で発生した燃焼排気が温度センサ１８へ直接流れることを防止する迂回部材３９を設けたことで、温度センサ１８の短時間での検出温度の上昇が抑えられる。よって、既存のグリル５で調理容器５０を用いる場合でも、加熱調理の途中で燃焼が停止されることがなく、使い勝手を損なわない。
【００２７】
特にここでは、迂回部材３９を、載置台３２の後係止板３６から下向きに折曲形成される縦板部４０を含むものとしているので、調理容器５０の下側空間を加熱する下バーナ１２から生じる燃焼排気の流れを左右方向に導くことができ、温度センサ１８へのダイレクトな流れをより効果的に阻止することができる。
また、縦板部４０の下端には、後方へ突出してグリル庫６の後部内面に近接する横板部４１が折曲形成されているので、燃焼排気が縦板部４０の下方へ回り込むことを効果的に防止でき、燃焼排気を縦板部４０の左右へ確実に誘導することができる。
【００２８】
さらに、載置台３２を、その前後方向の寸法が炎口１３の配列範囲Ｗよりも長くなるように形成して、受け部２９，２９に支持された状態で、調理容器５０が載置される下面支持枠３３が配列範囲Ｗに対向するようにしているので、調理容器５０を調理に適した最適位置で支持することができる。
加えて、載置台３２を、調理容器５０の周面に沿って設けられ、調理容器５０の前後左右での位置決めを行う周面支持枠３７と、調理容器５０の下面に沿って設けられて調理容器５０を下方から支持する下面支持枠３３とで形成し、周面支持枠３７には、配列範囲Ｗとの対向部分に切欠き４３を設けているので、下バーナ１２からの炎が周面支持枠３７によって冷却されることがなく直接的に調理容器５０を加熱できる。よって、載置台３２を用いても効率的な調理が可能となる。
【００２９】
なお、迂回部材の構造は上記形態に限らず、温度センサへのダイレクトな燃焼排気の流れを阻止可能であれば、適宜変更可能である。例えば上記形態では、迂回部材を縦板部と横板部とで形成しているが、横板部をなくして縦板部のみとしてもよい。この場合、縦板部の上下幅を大きくすることもできるし、左右全長に亘って上下幅を等しくせず、温度センサと対向する中央部分が下方へ延びる下向き半円状や台形状にすることもできる。横断面形状もＬ字状に限らず、円弧状や直線状とすることも可能である。
また、迂回部材を載置台と一体に形成する構造に限らず、別体に形成した迂回部材を載置台へネジ等で後付けしても差し支えない。
さらに、温度センサの設置位置も、上記形態ではグリル庫と排気ダクトとの境界部分よりも後方に設けているが、燃焼排気の出口付近であれば、当該境界部分よりも前方でグリル庫内にあってもよいし、出口付近として出口自体（境界部分）に設けてもよい。
【００３０】
一方、載置台を支持する構造も、上記形態の支持枠と焼き網台とに限るものではなく、支持枠に焼き網の受け部が直接設けられたものや、支持枠と一体となった受け皿に焼き網台が載置されるもの等、焼き網と載置台とを選択的に支持可能な受け部を備えたものであれば載置台の支持構造は適宜設計変更できる。
載置台自体の構造も、焼き網台のように金属製の棒材のみによって形成したり（この場合迂回部材は後付けとなる。）、周面支持枠をなくして前後一体の係止板に調理容器が嵌合する透孔を形成したりすることもできる。調理容器も、平面視矩形状に限らず、平面視が長円状や円形状等、載置台を介してグリル庫内で支持可能であれば他の形状であっても差し支えない。
その他、上記形態ではグリル付のビルトインコンロについて説明しているが、グリル付のテーブルコンロであっても本発明は適用可能である。
【符号の説明】
【００３１】
１・・ビルトインコンロ、２・・器体、４・・コンロ部、５・・グリル、６・・グリル庫、７・・排気ダクト、８・・上ケーシング、９・・下ケーシング、１０・・上バーナ、１１・・後板、１２・・下バーナ、１３・・炎口、１４・・熱電対、１７・・傾斜面、１８・・温度センサ、１９・・感熱部、２１・・支持枠、２２・・焼き網台、２３・・汁受け皿、２７・・グリル扉、２９・・受け部、３２・・載置台、３３・・下面支持枠、３５・・前係止板、３６・・後係止板、３７・・周面支持枠、３９・・迂回部材、４０・・縦板部、４１・・横板部、４２・・カバー部、４３・・切欠き、４４・・前枠部分、４５・・後枠部分、５０・・調理容器、５１・・容器本体、５２・・蓋体、Ｗ・・炎口の配列範囲。
【図１】
0006715509.tif 000002
【図２】
0006715509.tif 000003
【図３】
0006715509.tif 000004
【図４】
0006715509.tif 000005